(57)【要約】【課題】撮像した議事録に関する画像を会議の参加者に対して容易に配信する画像送信装置を提供する。【解決手段】画像送信装置１は、操作部１５から操作指示を受け付け、会議開始処理の後に撮像した画像を第２記憶媒体１６２の所定の領域に格納し、操作部１５で撮像された画像情報であり宛先として選択された画像情報に予め第１記憶媒体１６１に格納された宛先情報毎の画像情報と一致又は類似する画像領域がある場合、その宛先に対して配信すると指定された画像が添付された電子メールを送信する。【選択図】図１
2006227810.tif 000002
【特許請求の範囲】
【請求項１】
撮像手段により撮像された画像情報を通信手段により他の情報機器に通信可能な画像送信装置において、
通信の宛先を示す宛先情報、及び当該宛先情報ごとに対応する画像情報である宛先画像情報とを予め格納する記憶手段と、
前記撮像された画像情報に前記宛先画像情報と一致又は類似する画像領域があるか否かを照合して判定する判定手段と、
前記一致又は類似すると判定された宛先画像情報に対応する宛先情報を送信先として指定する送信先指定手段と、
前記送信先に前記撮像された画像情報を送信する送信手段と、
を備えたことを特徴とする画像送信装置。
【請求項２】
前記宛先画像情報は、顔画像情報であり、
前記判定手段は、前記撮像手段により撮像された画像に前記宛先画像情報と一致又は類似する顔画像領域があるか否かを照合して判定することを特徴とする請求項１に記載の画像送信装置。
【請求項３】
前記宛先情報は、電子メールのメールアドレスであり、
前記送信手段は、前記送信先指定手段により指定されたメールアドレスに前記撮像された画像情報を添付した電子メールを送信することを特徴とする請求項２又は３に記載の画像送信装置。
【請求項４】
前記撮像手段により撮像された画像情報を格納する第２の記憶手段と、
前記格納された画像情報のうち、送信先に送信する画像情報を指定する画像指定手段とを更に備え、
前記送信手段は、前記指定された画像情報を送信することを特徴とする請求項１〜３のいずれか一項に記載の画像送信装置。
【請求項５】
前記撮像された画像情報を前記第２の記憶手段の所定領域に格納することを指定する格納先指定手段を更に備え、
前記第２の記憶手段は、前記指定された領域に前記画像情報を格納することを特徴とする請求項４に記載の画像送信装置。
【請求項６】
前記画像指定手段は、前記指定された領域に格納された画像情報から送信先に送信する画像情報を指定することを特徴とする請求項５に記載の画像送信装置。
【請求項７】
撮像手段により撮像された画像情報を通信手段により他の情報機器に通信可能な画像送信装置のコンピュータを、
通信の宛先を示す宛先情報、及び当該宛先情報ごとに対応する画像情報である宛先画像情報とを予め格納する記憶手段と、
前記撮像された画像情報に前記宛先画像情報と一致又は類似する画像領域があるか否かを照合して判定する判定手段と、
前記一致又は類似すると判定された宛先画像情報に対応する宛先情報を送信先として指定する送信先指定手段と、
前記送信先に前記撮像された画像情報を送信する送信手段と、
として機能させるためのプログラム。
【請求項８】
前記宛先画像情報は、顔画像情報であり、
前記判定手段は、前記撮像手段により撮像された画像に前記宛先画像情報と一致又は類似する顔画像領域があるか否かを照合して判定することを特徴とする請求項７に記載のプログラム。
【請求項９】
前記宛先情報は、電子メールのメールアドレスであり、
前記送信手段は、前記送信先指定手段により指定されたメールアドレスに前記撮像された画像情報を添付した電子メールを送信することを特徴とする請求項７又は８に記載のプログラム。
【請求項１０】
前記撮像手段により撮像された画像情報を格納する第２の記憶手段と、
前記格納された画像情報のうち、送信先に送信する画像情報を指定する画像指定手段とを更に備え、
前記送信手段は、前記指定された画像情報を送信することを特徴とする請求項７〜９のいずれか一項に記載のプログラム。
【請求項１１】
前記撮像された画像情報を前記第２の記憶手段の所定領域に格納することを指定する格納先指定手段を更に備え、
前記第２の記憶手段は、前記指定された領域に前記画像情報を格納することを特徴とする請求項１０に記載のプログラム。
【請求項１２】
前記画像指定手段は、前記指定された領域に格納された画像情報から送信先に送信する画像情報を指定することを特徴とする請求項１１に記載のプログラム。
【発明の詳細な説明】
【技術分野】
【０００１】
本発明は、画像送信装置、及びプログラムに関する。
【背景技術】
【０００２】
従来、会議中にホワイトボード（登録商標）などに記録した議事内容を撮像して出席者に配布することがあった。この場合は、撮像した画像をＰＣ（Personal  Computer）などに保存し、出席者などの配信先を指定した電子メールに添付して転送していた。
例えば、特許文献１には、会議などで使用したホワイトボードの書込み情報をそのボード上に書き込まれた配信先のアドレスに基づいて配信する技術が開示されている。
【特許文献１】特開２００３−１９８７９３号公報
【発明の開示】
【発明が解決しようとする課題】
【０００３】
しかしながら、ＰＣなどで配信する場合は、作業が煩雑であると同時に、配信先の選択などにおいて、人為的なミスにより誤配信する虞があった。また、上記技術で送信する場合も、メールアドレスをわざわざ書き込まなければならず、記載のミスや手間などがあり、更なる開発が望まれていた。
【０００４】
そこで、本発明は、撮像した議事に関する画像を会議の参加者に対して容易に配信する画像送信装置の提供を課題とするものである。
【課題を解決するための手段】
【０００５】
上記課題を解決するために、請求項１に記載の発明は、撮像手段により撮像された画像情報を通信手段により他の情報機器に通信可能な画像送信装置において、通信の宛先を示す宛先情報、及び当該宛先情報ごとに対応する画像情報である宛先画像情報とを予め格納する記憶手段と、前記撮像された画像情報に前記宛先画像情報と一致又は類似する画像領域があるか否かを照合して判定する判定手段と、前記一致又は類似すると判定された宛先画像情報に対応する宛先情報を送信先として指定する送信先指定手段と、前記送信先に前記撮像された画像情報を送信する送信手段と、を備えたことを特徴とする。
【０００６】
請求項２に記載の発明は、請求項１に記載の発明において、前記宛先画像情報は、顔画像情報であり、前記判定手段は、前記撮像手段により撮像された画像に前記宛先画像情報と一致又は類似する顔画像領域があるか否かを照合して判定することを特徴とする。
【０００７】
請求項３に記載の発明は、請求項２又は３に記載の発明において、前記宛先情報は、電子メールのメールアドレスであり、前記送信手段は、前記送信先指定手段により指定されたメールアドレスに前記撮像された画像情報を添付した電子メールを送信することを特徴とする。
【０００８】
請求項４に記載の発明は、請求項１〜３のいずれか一項に記載の発明において、前記撮像手段により撮像された画像情報を格納する第２の記憶手段と、前記格納された画像情報のうち、送信先に送信する画像情報を指定する画像指定手段とを更に備え、前記送信手段は、前記指定された画像情報を送信することを特徴とする。
【０００９】
請求項５に記載の発明は、請求項４に記載の発明において、前記撮像された画像情報を前記第２の記憶手段の所定領域に格納することを指定する格納先指定手段を更に備え、前記第２の記憶手段は、前記指定された領域に前記画像情報を格納することを特徴とする。
【００１０】
請求項６に記載の発明は、請求項５に記載の発明において、前記画像指定手段は、前記指定された領域に格納された画像情報から送信先に送信する画像情報を指定することを特徴とする。
【００１１】
更に、撮像手段により撮像された画像情報を通信手段により他の情報機器に通信可能な画像送信装置のコンピュータに対して、上述した請求項１〜６に記載の発明に示した主要な機能を実現させるためのプログラムを提供する（請求項７〜１２に記載の発明）。
【００１２】
なお、ここでいう「通信の宛先」とは、複数又は単数の情報機器又はアカウントを特定するものであり、ＤＮＳ（Domain Name System）などを利用して宛先となる情報機器を特定可能な文字によるアドレス、ＩＰ（Internet  Protocol）アドレス、又は上述したアドレスとそのアドレスで特定される情報機器やネットワークにおけるアカウント名とからなる情報であり、例えば、電子メールアドレスなどの情報を含むものである。
【発明の効果】
【００１３】
請求項１、７に記載の発明によれば、予め格納された宛先を示す画像情報と参加者を示す画像を撮像して照合して宛先を指定し、撮像した議事に関する画像などを送信する構成であるため、議事に関する情報と参加者を示す画像を撮像するだけでその議事に関する情報を参加者に対して配信することができる。
【００１４】
請求項２、８に記載の発明によれば、顔画像で判定する構成であるため、宛先を示す画像情報として社員のデータベースなどで利用する顔画像をそのまま利用することができると同時に、会議の参加者の顔画像を撮像するだけでよく、より手軽に実施することができる。
【００１５】
請求項３、９に記載の発明によれば、一般的に使用されている電子メールにより議事に関する情報を配信する構成であるため容易に配信できるとともに、従来からある電子メールのアドレス帳などのデータを活用するなど、手間を掛けずに実現することができる。
【００１６】
請求項４、１０に記載の発明によれば、議事に関する画像情報を格納し、その格納された画像情報から選択した画像を送信する構成であるため、より詳細で的確な情報を容易に提供することができる。
【００１７】
請求項５、１１に記載の発明によれば、議事に関する情報を所定の領域に格納する構成であるため、配信する画像の管理を的確に行うことができる。
【００１８】
請求項６、１２に記載の発明によれば、所定の領域に格納された画像情報から配信する画像情報を選択する構成であり、配信する画像の選択をより容易に行なうことが可能となる。
【発明を実施するための最良の形態】
【００１９】
以下、この発明の実施の形態について説明するが、この発明は、この実施の形態に限定されない。また、この発明の実施の形態は発明の最も好ましい形態を示すものであり、発明の用語はこれに限定されない。
【００２０】
先ず、本発明である画像送信装置１の機能的構成について、図１を参照して説明する。画像送信装置１は、制御部１１、ＲＯＭ１２、ＲＡＭ１３、表示部１４、操作部１５、記憶部１６、撮像部１７、画像処理部１８、及び通信部１９を備え、各部はバス２０により互いに電気的に接続されて構成される。
【００２１】
制御部１１は、特に図示しないＣＰＵ（Central  Processing  Unit）を備え、ＳＤＲＡＭ（Synchronous Dynamic Random Access Memory）などのＲＡＭ１３の所定領域を作業領域としてＲＯＭ１２に記憶されている各種制御プログラムに従い、上述した各部に制御信号を送って画像送信装置１の動作全般を統括制御する。
また、制御部１１は、常時一定周波数を発信する水晶発振器（特に図示しない）によるクロック信号を基準に動作するとともに、当該クロック信号を計数して現在時刻を計時する。
【００２２】
ＲＯＭ１２（Read  Only  Memory）は、不揮発性のメモリであり、制御部１１で実行される各種プログラムを格納する。具体的には、後述するフローチャートに示す動作手順で、本実施の形態に関する動作である会議開始処理、撮像処理、会議終了処理、送信先アドレス指定処理、及び議事録メール送信処理を実現する為のプログラムなどが格納される。
【００２３】
表示部１４は、ＬＣＤ（Liquid  Crystal  Display）などのディスプレイから構成され、制御部１１から入力される画像出力信号に基づいて画面上に画像を表示する。
【００２４】
操作部１５は、画像送信装置１に対する操作指示を入力するための数字キー、文字キー、機能キーなどの各種キーや、小型のスティック状のポインティングデバイス等を含んで構成される。利用者は表示部１４に表示される画面を参照しながら操作部１５を操作することにより、画像送信装置１に対する各種操作指示、又は設定を行なう。
【００２５】
記憶手段としての記憶部１６は、第１記憶媒体１６１、第２記憶媒体１６２などの制御部１１の指示により電気的に消去及び書き換えが可能な記録媒体や不揮発メモリにより構成される。第１記憶媒体１６１、第２記憶媒体１６２の一例としては、ＣＤ−Ｒ、ＣＤ−Ｒ／Ｗ、ＤＶＤ−Ｒ、ＤＶＤ−Ｒ／Ｗ、ＤＶＤ＋Ｒ／Ｗ、ＤＶＤ−ＲＡＭ、ブルーレイディスク、ＭＯディスク、ＰＣカード、ＳＤカード、メモリースティック（登録商標）、スマートメディア、コンパクトフラッシュ（登録商標）、xD−Ｐｉｃｔｕｒｅカード、ＨＤＤ、及びＥＥＰＲＯＭ（Electrically  Erasable  and  Programmable  ROM）などの不揮発性メモリがある。
【００２６】
第１記憶媒体１６１に格納されるデータは、主に設定情報や動作プログラムなどであり、各項目毎に検索可能に関連づけされたデータ通信の宛先に関する情報を含む。宛先に関する情報は、宛先である人物の名前などを記した宛先の名称に関するデータ、その人物の顔画像データ、及びその人物に関するデータ通信の宛先であるメールアドレスなどのアドレスデータがそれぞれ対応付けされるテーブルなどによるデータベース（メールアドレスＤＢ）がある。
【００２７】
第２の記憶手段としての第２記憶媒体１６２に格納されるデータは、主に撮像部１７で撮像した画像データであり、図示したとおり、フォルダ構造（階層構造）で管理される。例えば、データの格納は、図示したとおり、フォルダの最上位にある「ｒｏｏｔ」フォルダ内に「会議１」、「会議２」、…といった下層のフォルダが格納され、それぞれの「会議」フォルダには、「開始日時」・「フラグ」「終了日時」などのフォルダに関する情報と撮像された画像データが格納される構成である。なお、例示したフォルダの構成は「会議」を主体としているが、他に本発明とは関係しない撮像画像などを保存する「通常画像」などのフォルダを備える構成であって良い。また、フォルダによるデータ格納の構成は、実際に記録媒体におけるメモリアドレス上の所定領域を１つのフォルダ領域として格納する構成であってもよいが、記録媒体におけるメモリアドレス上に分散して格納された情報をポインタにより階層構造に結びつける構成であってもよく、特に限定しない。
【００２８】
撮像部１７は、ガラスやプラスチックなどからなる光学レンズからの光をＣＣＤ（Charge  Coupled  Device）やＣＭＯＳ（Complementary  Metal  Oxide  Semiconductor）などの撮像素子上に光学像として結像し、その像を電気的な信号として制御部１１に出力する構成（特に図示しない）である。なお、撮像部１７は、制御部１１からの制御命令により、上述の光学レンズの位置をアクチュエータなどで調節して、ピント制御、絞り制御、画角制御などを行なう構成を備えても良い。
【００２９】
画像処理部１８は、画像用ＤＳＰ（Digital  Signal  Processor）等からなり、制御部１１から入力される画像データと制御信号とにより、色の指定による領域検出、入力される画像の形状を比較することによる相関値（類似度）の算出、拡大・縮小処理、画素補間、輝度値の調整、色変換、及び色領域やサイズなどの条件を指定した所定部位の切り取りなどの各種画像処理を行ない、制御部１１へ変換後の画像データや演算結果値を出力する。
【００３０】
また、画像処理部１８は、上述した画像処理により、一人の認証の対象となる顔が撮像された画像を元にして、一人又は複数の顔が撮像された画像から一致又は類似する顔画像があるか否かの判定を行なう。具体的には、比較する二つの画像から、色度（肌色領域）に基づいて画像中の顔領域を抽出し、明度にから眼・鼻・口・耳などの領域を特定する。そして、抽出された顔領域同士で離散コサイン変換などに基づいた類似度を算出して、その類似度が所定の閾値以上であるか、つまり、互いの顔画像が一致又は類似するかを判定する。なお、複数の顔画像領域が抽出された場合は、それぞれの顔画像領域に対して順次類似度が判定される。
【００３１】
なお、画像処理部１８が行なう、上述した一つの画像を元にして他の画像と一致又は類似する画像領域があるか否かの判定は、黒色領域など所定の条件で抽出される画像領域同士を比較して行なうものであり、例えば、手書き文字や社員証などのシンボル画像であって良く、特に顔画像に限定するものではない。
【００３２】
送信手段としての通信部１９は、制御部１１の指示により、特に図示しない他の情報機器とデータ通信を行なう通信回路である。通信部１９により行なわれる通信としては、ＧＳＭ（Global System for Mobile communication）方式、ＧＰＲＳ（General Packet Radio System ；汎用パケット無線システム）方式、ＰＤＣ（Personal Digital Cellular）方式、ＣＤＭＡ（Code Division Multiple Access）方式、ＰＨＳ（Personal Handyphone System）方式、Bluetooth無線通信方式、無線ＬＡＮ（Local Area Network）等のように各種携帯電話や無線モデムの規格や通信方式による無線通信、又はＷＡＮ（Wide  Area  Network）、ＬＡＮ（Local  Area  Network）、インターネット、電話回線網、ＩＳＤＮ（Integrated  Services  Digital  Network）回線網、ＡＤＳＬ（Asymmetric  Digital  Subscriber  Line）回線網、移動体通信網、通信衛星回線、ＣＡＴＶ回線、光通信回線等の有線通信があり、上述した通信方式のいずれか、又は複数の通信方式であってよく、通信プロトコルも特に限定しない。
【００３３】
次に、画像送信装置１により利用者からの操作指示を受け付けて制御部１１が制御して行なう各種の動作処理について、図２〜図５を参照して説明する。図２（ａ）は、会議開始処理を示すフローチャートであり、（ｂ）は、撮影処理を示すフローチャートである。図３は、会議終了処理を示すフローチャートであり、図４は、会議終了処理中における送信先アドレス指定処理を示すフローチャートであり、図５は、会議終了処理中における議事録メール送信処理を示すフローチャートである。
【００３４】
最初に、操作部１５からの操作指示により開始される会議開始処理について図２（ａ）を参照して説明する。会議の開始に先立って画像送信装置１の操作者は会議開始の指示操作を行う。制御部１１は、操作部１５からの前記指示操作により、第２記憶媒体１６２内に会議フォルダを新規に作成する（ステップＳ１１）。なお、ステップＳ１１では、フォルダを作成する場合、既に会議１など同一のフォルダ名があれば会議2などの他のフォルダ名を生成して新規にフォルダを生成するものとする。また、フォルダを新規に作成する構成としたが、第２記憶媒体１６２内にある既存のフォルダを選択する構成であってもよい。
【００３５】
ステップＳ１１の後、表示部１４に会議フォルダ名の変更の有無を確認するメッセージを表示するなどして操作部１５からの操作指示を受け付け、その操作指示による会議名の変更の有無が判定され（ステップＳ１２）、前記ステップＳ１１で作成されたフォルダ名を変更する場合は（ステップＳ１２：ＹＥＳ）、操作部１５から操作者による任意のフォルダ名の入力を受け付けて（ステップＳ１３）、ステップＳ１２に戻る。
【００３６】
ステップＳ１２において、フォルダ名が変更しない場合は（ステップＳ１２：ＮＯ）、格納先指定手段としてのステップＳ１４により、その会議フォルダにおいて、「現在日時」に制御部１１で計時される現在時刻が格納されるとともにフラグの「会議中」の項目がＯＮに変更されて、終了する。
【００３７】
次に、操作部１５からの操作指示により開始される撮像処理について図２（ｂ）を参照して説明する。会議中において出席者に送付すべき議事録などがホワイトボードに記録された場合は、これを画像送信装置１により随時撮影する。制御部１１は、操作部１５からの前記撮像の指示により、撮像部１７から撮像画像データを取得した後（ステップＳ２１）、現在日時を取得する（ステップＳ２２）。
【００３８】
ステップＳ２２の後、フォルダ内のフラグで「会議中」の項目がＯＮであるフォルダが有るか否かが判定され（ステップＳ２３）、ＯＮであるフォルダが有ると判定された場合は（ステップＳ２３：ＹＥＳ）、当該ＯＮであると判定された会議フォルダへ取得された撮像画像データが格納され（ステップＳ２４）、終了する。ステップＳ２３において、ＯＮでないと判定された場合は（ステップＳ２３：ＮＯ）、通常に格納する所定のフォルダに撮像画像が格納され（ステップＳ２５）、終了する。
【００３９】
なお、ステップＳ２３における判定は、予め選択された所定の会議フォルダのフラグを判定する構成でも良いが、予め選択されたフォルダから下位にあるフォルダに対してや、最上層にあるフォルダから最下層にある全てのフォルダに対してフラグの判定が行なわれる構成であっても良い。
【００４０】
画像送信装置１は、上述した会議開始処理を行なった後に撮像処理を行なうことで、撮像部１７で撮像された画像を所定のフォルダ（領域）に格納させることができるため、撮像して格納する議事に関する画像をそのフォルダで一括管理することができる。
【００４１】
次に、操作部１５からの操作指示により開始される会議終了処理について図３〜図５を参照して説明する。制御部１１は、操作部１５からの会議終了指示により現在日時を取得し（ステップＳ３１）、フォルダ内のフラグの「会議中」の項目がＯＮであるフォルダが有るか否かを判定する（ステップＳ３２）。この判定でＯＮでないと判定された場合は（ステップＳ３２：ＮＯ）、表示部１４にエラー表示、つまり会議中の設定がされていない状態で会議終了の処理がされた旨の表示が行なわれて（ステップＳ３３）、終了する。なお、ステップＳ３２における判定は、上述したステップＳ２３と同様に所定の会議フォルダのフラグを判定する構成や、複数の階層にわたってフラグを判定する構成であってよい。
【００４２】
ステップＳ３２においてＯＮであると判定された場合は、当該フォルダにおける終了日時に取得された現在日時が格納され（ステップＳ３４）、フラグの「会議中」の項目がＯＦＦにされ（ステップＳ３５）、操作部１５から操作指示を受け付けて、撮像した画像による議事録メール送信の指定の有無が確認される（ステップＳ３６）。これは、会議において操作者が撮影した画像をメールとして送信するか否かを確認するための指定である。なお、ステップＳ３６において議事録メール送信を行なわない指示が確認された場合は（ステップＳ３６：ＮＯ）、そのまま終了する。
【００４３】
ステップＳ３６において議事録メールを送信する指示が確認された場合は、当該会議フォルダ、つまり、ステップＳ３２においてフラグの「会議中」の項目がＯＮであると判定されたフォルダが指定され（ステップＳ３７）、画像指定手段としてのステップＳ３８において、操作部１５から入力される操作指示を元にその会議フォルダ内に格納された画像から送信する画像（議事録画像）の選択が行なわれる。
【００４４】
ステップＳ３８の後に、メール送信者が写っている画像の選択が行なわれ（ステップＳ３９）、選択された送信者の画像を元にした送信先アドレスの指定が行なわれて（ステップＳ４０）、当該指定された送信先アドレスに対して選択された議事録画像による議事録メールが送信されて（ステップＳ４１）、終了する。
【００４５】
なお、選択の対象となる会議フォルダ内の画像とは、前述の会議開始処理により当該会議フォルダフラグの「会議中」の項目をＯＮにし、撮像処理によりそのフォルダに格納された撮像画像であり、例えば、会議の説明に使用した黒板の撮像画像と、参加者の全体／個別の顔写真とである。
【００４６】
ここで、ステップＳ４０により行なわれる送信先アドレス指定処理について詳細に説明する。制御部１１は、ステップＳ３９で選択された送信者の画像のうちの１つを選択し（ステップＳ５１）、その選択された送信者の画像に対して第１記憶媒体１６１に格納された先頭（ｉ＝０）から最後尾（ｉ＝ＥＮＤ）までの宛先に関する情報（メールアドレスＤＢ）の顔画像データと比較する写真解析のループ処理を行なう（ステップＳ５２〜Ｓ５６）。
【００４７】
写真解析のループ処理が開始されると（ステップＳ５２）、選択された画像とメールアドレスＤＢのｉ番目の顔画像とが比較され（ステップＳ５３）、判定手段としてのステップＳ５４により、選択された画像の中にメールアドレスＤＢの顔画像と一致又は類似する顔画像領域があるか否かが判定され、一致又は類似する領域があると判定された場合は（ステップＳ５４：ＹＥＳ）、送信先指定手段としてのステップＳ５５により、その顔画像に対するメールアドレス、つまりｉ番目のカラムに対するメールアドレスが送信先リストに格納され、ｉをインクリメントして次のループに移行される（ステップＳ５６）。なお、ステップＳ５４において、一致又は類似する領域がないと判定された場合は、単にｉをインクリメントして次のループに移行される。
【００４８】
写真解析のループ処理（ステップＳ５２〜Ｓ５６）の後、ステップＳ３９で選択された全ての画像に対して写真解析のループ処理が終了したか否かが判定され（ステップＳ５７）、終了していない場合は（ステップＳ５７：ＮＯ）次の画像が選択されて（ステップＳ５８）ループ処理の先頭に戻り、終了している場合は（ステップＳ５７：ＹＥＳ）そのまま終了する。
【００４９】
ここで、ステップＳ４１により行なわれる議事録メール送信処理について詳細に説明する。制御部１１は、ステップＳ３８で選択された議事録画像とステップＳ４０の処理で送信先リストに格納されたメールアドレスの一覧を表示部１４に表示し（ステップＳ６１）、送信先の変更（メールアドレスの追加若しくは削除など）があるか否かを確認し（ステップＳ６２）、変更がある場合（ステップＳ６２：ＹＥＳ）は操作部１５からメールアドレスの入力による送信先リストへの追加若しくは削除などを受け付ける（ステップＳ６３）。
【００５０】
ステップＳ６２において、特に送信先の変更がない場合は（ステップＳ６２：ＮＯ）、予め記憶部１６に格納された定型文や操作部１５からの操作により題名や本文が記入されてメール文が生成され（ステップＳ６４）、その生成されたメール文に対して選択された議事録画像が添付され（ステップＳ６５）、送信手段としてのステップＳ６６により、送信先リストのメールアドレスに対して上述のステップＳ６５までの処理で作成されたメールが送信され、終了する。
【００５１】
次に、画像送信装置１の利用形態について、図６〜図８を参照して説明する。図６は、画像送信装置１による本発明に係る処理の概略を説明する図であり、図７は、画像送信装置１である電子ホワイトボード１ａ又はデジタルカメラ１ｂから送信先である端末１０１にネットワークＮを利用してデータを送信する画像送信システム１００の構成を示す図であり、図８は、上述した図７の構成にサーバ１０２を更に備えた画像送信システム１００ａの構成を示す図である。
【００５２】
画像送信装置１は、利用者の指示により、前述した会議開始処理を行なった後、図６に示すように、議事録として会議中における黒板を撮影して記録するとともに、その議事録を配布する宛先である会議の出席者を集合写真として第２記憶媒体１６２に記録する。そして、会議終了処理の開始が指示されると、予め第１記憶媒体１６１に登録された顔画像及びメールアドレスを含むメールアドレスＤＢと、第２記憶媒体１６２に格納された集合写真とに基づいて作成される送信先のリストに対して、議事録を送信する。
【００５３】
送信された議事録は、図７に示すように、前述した通信方法のいずれかであるネットワークＮにより宛先である出席者の端末１０１に送信される。なお、画像送信システム１００を構成する画像送信装置１は、具体的には、通信機能を備えたデジタルカメラ１ｂであっても良いが、撮像部１７の代わりに出席者を撮像するカメラと書き込まれた内容を読み取り可能な板とを備える電子ホワイトボード１ａであっても良い。
【００５４】
また、図８に示すように、画像送信システム１００は、ワークステーションなどであるサーバ１０２をネットワークＮにより互いに通信可能に備える画像送信システム１００ａのような構成であっても良い。この場合のサーバ１０２は、単にメールなどの通信を仲介する機能のみを備える構成であっても良いが、好適には、第１記憶媒体１６１に格納されたメールアドレスＤＢを格納する記憶部と、前述の画像処理部１８と同様の処理を行なう画像処理部とを備え（いずれも図示しない）、前述した図３に示した会議終了処理におけるステップＳ３８、ステップＳ３９で選択された画像を画像送信装置１から受信して、図４、図５に示した送信先アドレス指定処理と議事録メール送信処理とを行なう構成である。
【００５５】
上述した画像送信システム１００ａでは、サーバ１０２により送信者のアドレスなどのデータの一元管理を行なうことができるとともに、電子ホワイトボード１ａやデジタルカメラ１ｂの画像処理部１８で顔認証を行なう構成を設ける必要がないため、画像送信装置１をより小型で簡易な構成とすることが可能となる。
【００５６】
以上のように、画像送信装置１は、操作部１５から操作指示を受け付け、会議開始処理の後に撮像した画像を第２記憶媒体１６２の所定の領域に格納し、操作部１５で撮像された画像情報であり宛先として選択された画像情報に予め第１記憶媒体１６１に格納された宛先情報毎の画像情報と一致又は類似する画像領域がある場合、その宛先に対して配信すると指定された画像が添付された電子メールを送信する。
このため、画像送信装置１は、撮像した議事に関する画像を会議の参加者に対して容易に配信することが可能となる。
【００５７】
なお、本発明は、発明の趣旨を逸脱しない範囲で自由に変更、改良が可能である。例えば、本実施の形態では電子メールによる配信を例示したが、宛先である情報機器に対してストリーミングによる配信を行なう構成であっても良く、様々な通信形態で実施可能である。
【００５８】
また、記憶部１６に格納される記憶媒体は、第１記憶媒体１６１、第２記憶媒体１６２に示したように、複数であって、データの種類で分けて格納する構成であっても良いが、一つの記憶媒体であり、それに全てのデータを格納する構成であっても良く、特に限定しない。
【図面の簡単な説明】
【００５９】
【図１】本発明である画像送信装置１の機能的構成を模式的に示した図である。
【図２】（ａ）は、画像送信装置１が行なう会議開始処理を示すフローチャートであり、（ｂ）は、画像送信装置１が行なう撮像処理を示すフローチャートである。
【図３】画像送信装置１が行なう会議終了処理を示すフローチャートである。
【図４】画像送信装置１が行なう送信アドレス指定処理を示すフローチャートである。
【図５】画像送信装置１が行なう議事録メール送信処理を示すフローチャートである。
【図６】画像送信装置１の利用形態を説明する図である。
【図７】電子ホワイトボード１ａ又はデジタルカメラ１ｂとネットワークＮにより接続された端末１０１とから構成される画像送信システム１００を説明する構成図である。
【図８】画像送信システム１００にサーバ１０２を更に備えた画像送信システム１００ａを説明する構成図である。
【符号の説明】
【００６０】
１  画像送信装置
１ａ  電子ホワイトボード
１ｂ  デジタルカメラ
Ｎ  ネットワーク
１１  制御部
１２  ＲＯＭ
１３  ＲＡＭ
１４  表示部
１５  操作部
１６  記憶部
１６１  第１記憶媒体
１６２  第２記憶媒体
１７  撮像部
１８  画像処理部
１９  通信部
２０  バス
１００、１００ａ  画像送信システム
１０１  端末
１０２  サーバ
【図１】
2006227810.tif 000003
【図２】
2006227810.tif 000004
【図３】
2006227810.tif 000005
【図４】
2006227810.tif 000006
【図５】
2006227810.tif 000007
【図６】
2006227810.tif 000008
【図７】
2006227810.tif 000009
【図８】
2006227810.tif 000010